(57)【要約】【課題】  フィルムの厚さ等に左右されず、どの様なフィルムであっても固定可能であり、且つ容易に引き抜くことができるフィルム固定具及びこれを具備するシャウカステンを提供すること。【解決手段】  アクリル板の一辺に沿って設けられる支持バーと、前記支持バーに脱着自在に設けられ且つ前記光拡散板の前記一辺に沿って移動可能である複数のクリップと、を有し、前記クリップによりフィルムを前記第１の表面に対して押圧することで、当該フィルムを固定する。クリップには好適な角度が形成されており、挿入方向を気にせずともクリップの一部とフィルムとを衝突させることなく良好に差し込むことができる。また、フィルムは、例えば下方に所定の力を加えることで引き抜くことができる。【選択図】      図４
2008040156.tif 000002
【特許請求の範囲】
【請求項１】
光源と、
前記光源から入射する光を拡散させ、且つその第１の面にフィルムを配置するための光拡散板と、
前記光拡散板の一辺に沿って設けられる支持バーと、前記支持バーに脱着自在に設けられ且つ前記光拡散板の前記一辺に沿って移動可能である複数のクリップと、を有し、前記クリップによりフィルムを前記第１の表面に対して押圧することで、当該フィルムを固定するフィルム固定手段と、
を具備することを特徴とするシャウカステン。
【請求項２】
前記クリップは、
前記光拡散板の前記第１の面側に折り曲げられる第１の端部と、前記光拡散板の前記第１の面側にＳ字状に折り曲げられたる第２の端部とを有し、前記第１の端部と前記第２の端部とで前記支持バーを挟持する板バネ部と、
前記第１の端部に前記光拡散板の前記第１の面と対向するように設けられ、フィルムを前記第１の面に対して押圧するためのボタン部と、
を具備することを特徴とする請求項１記載のシャウカステン。
【請求項３】
前記ボタン部は、フィルムの挿入及び引き抜きをガイドする傾斜部を有することを特徴とする請求項２記載のシャウカステン。
【請求項４】
光源と、前記光源から入射する光を拡散させ、且つその第１の面にフィルムを配置するための光拡散板と、を具備するシャウカステンに用いられ、前記光拡散板に押圧することでフィルムを固定するフィルム固定具であって、
前記光拡散板の一辺に沿って設けられる支持バーと、
前記光拡散板の前記一辺に沿って移動可能であり、前記支持バーに脱着自在に設けられフィルムを前記第１の表面に対して押圧するクリップと、
を具備することを特徴とするフィルム固定具。
【請求項５】
前記クリップは、
前記光拡散板の前記第１の面側に折り曲げられる第１の端部と、前記光拡散板の前記第１の面側にＳ字状に折り曲げられたる第２の端部とを有し、前記第１の端部と前記第２の端部とで前記支持バーを挟持する板バネ部と、
前記第１の端部に前記光拡散板の前記第１の面と対向するように設けられ、フィルムを前記第１の面に対して押圧するためのボタン部と、
を具備することを特徴とする請求項４記載のフィルム固定具。
【請求項６】
前記ボタン部は、フィルムの挿入及び引き抜きをガイドする傾斜部を有することを特徴とする請求項５記載のフィルム固定具。
【発明の詳細な説明】
【技術分野】
【０００１】
本発明は、レントゲンフィルムや写真用フィルム等の読み取りに利用されるシャウカステン、及び当該シャウカステンに用いられるフィルム固定具に関する。
【背景技術】
【０００２】
シャウカステンとは、主にレントゲンフィルム、写真用フィルム等を読影する際に用いられる装置であり、光照射面としての半透明アクリル板表面にフィルム固定具によりフィルムを固定し、装置本体内に内蔵された光源により半透明アクリル板からフィルムにバックライトを当てることで、フィルムの読影を可能とするものである。
【０００３】
この様な従来のシャウカステンでは、図７に示すようなフィルム固定具６０によってフィルムが固定される。このフィルム固定具は、ステンレス製ピン６１の自重により当該ステンレス製ピンと半透明アクリル板６２とで挟むことでフィルム６３を固定する。また、当該フィルムを手前方向Ｆ（半透明アクリル板の法線方向）に引くことでステンレス製ピン６１を回転させ、当該ステンレス製ピン６１と半透明アクリル板６２との挟持を解除することで、固定されたフィルム６３を取り出すことができる。なお、この様なピンの他、高分子フィルムの小片をＶ字状に折り曲げた狭持片によりフィルムを固定するもの（例えば、特許文献１参照）、弾力性のあるブラシによってフィルムを固定するもの（例えば、特許文献２参照）も存在する。
【特許文献１】実用新案登録公報第３０８４１８８号公報
【特許文献２】実用新案登録公報第３００７９５５号公報
【発明の開示】
【発明が解決しようとする課題】
【０００４】
しかしながら、従来のシャウカステンにおいては、次のような問題がある。
【０００５】
すなわち、近年、フィルムの多様化により、その厚さ、重さ、表面の摩擦係数にはばらつきがある。フィルム固定にステンレス製ピンを用いる場合、フィルムの重さやフィルム表面の摩擦係数によっては、ステンレス製ピンの自重によって支えきれずフィルムが落下してしまう場合がある。さらに、凹凸が存在する半透明アクリル板にステンレス製ピンを用いてフィルムを固定する場合には、均等な強さで半透明アクリル板に押し付けることができず、例えばフィルムを水平に固定することができなかったり、途中でフィルムの一端が落下することがある。
【０００６】
また、高分子フィルムの小片をＶ字状に折り曲げた狭持片や弾力性のあるブラシによってフィルムを固定する構成であっても、フィルムの重さやフィルム表面の摩擦係数が好適でない場合には、その狭持強度や狭持位置を調整することができない。従って、フィルムの種類によっては支えきれずフィルムが落下してしまう場合がある。
【０００７】
本発明は、上記事情を鑑みてなされたもので、フィルムの厚さ等に左右されず、どの様なフィルムであっても固定可能であり、且つ容易に引き抜くことができるフィルム固定具及びこれを具備するシャウカステンを提供することを目的としている。
【課題を解決するための手段】
【０００８】
本発明は、上記目的を達成するため、次のような手段を講じている。
【０００９】
本発明の第１の視点は、光源と、前記光源から入射する光を拡散させ、且つその第１の面にフィルムを配置するための光拡散板と、前記光拡散板の一辺に沿って設けられる支持バーと、前記支持バーに脱着自在に設けられ且つ前記光拡散板の前記一辺に沿って移動可能である複数のクリップと、を有し、前記クリップによりフィルムを前記第１の表面に対して押圧することで、当該フィルムを固定するフィルム固定手段と、を具備することを特徴とするシャウカステンである。
【００１０】
本発明の第２の視点は、光源と、前記光源から入射する光を拡散させ、且つその第１の面にフィルムを配置するための光拡散板と、を具備するシャウカステンに用いられ、前記光拡散板に押圧することでフィルムを固定するフィルム固定具であって、前記光拡散板の一辺に沿って設けられる支持バーと、前記光拡散板の前記一辺に沿って移動可能であり、前記支持バーに脱着自在に設けられフィルムを前記第１の表面に対して押圧するクリップと、を具備することを特徴とするフィルム固定具である。
【発明の効果】
【００１１】
以上本発明によれば、フィルムの厚さ等に左右されず、どの様なフィルムであっても固定可能であり、且つ容易に引き抜くことができるフィルム固定具及びこれを具備するシャウカステンを実現することができる。
【発明を実施するための最良の形態】
【００１２】
以下、本発明の実施形態を図面に従って説明する。なお、以下の説明において、略同一の機能及び構成を有する構成要素については、同一符号を付し、重複説明は必要な場合にのみ行う。
【００１３】
図１は、本実施形態に係るシャウカステン１の構成を示している。同図に示すように、本シャウカステン１は、筐体１０、アクリル板１２、カバー１４、操作部１６、脚部１７、及び筐体１０内に内蔵される光源１９（図１には図示せず。図３参照。）、カバー１４の下に治められるフィルム固定部２０（図１には図示せず。図２等参照。）を具備している。
【００１４】
筐体１０は、アクリル板１２に光を当てるための光源１９、及び操作部１６からの操作に応じて電源１９のＯＮ／ＯＦＦを制御する制御部を内蔵し、また、アクリル板１２がはめ込まれる窓を有する。
【００１５】
アクリル板１２は、例えば半透明のアクリル樹脂をその材料とし、筐体１０に内蔵される光源１９の光を拡散させながら透過させることで、その表面に固定されるフィルムを均等に電照する。アクリル板１２は、オパール板とも呼ばれることがある。
【００１６】
カバー１４は、フィルム固定部２０を覆うための開閉自在及び取り外し自在なカバーである。例えばフィルム固定部２０のクリップ位置を変更する場合、クリップ数を変更する場合等必要に応じて開閉される。なお、図２に、当該カバー１４を取り外した状態のシャウカステン１を示した。
【００１７】
操作部１６は、光源１９のＯＮ／ＯＦＦを指示するためのボタン、自動モード又は手動モードを選択するためのボタン等を有する。ここで、自動モードとは、フィルム固定部２０でのフィルム固定と同時に光源１９がＯＮされ且つフィルムの取り外しと同時に光源１９がＯＦＦされる動作モードである。また、手動モードとは、ユーザが手動で光源１９のＯＮ／ＯＦＦを制御する動作モードである。
【００１８】
脚部１７は、当該シャウカステン１を机上に安定して設置又は固定するための固定具である。
【００１９】
光源１９は、複数の蛍光灯によりアクリル板１２を電照する。この光源１９とアクリル板１２とにより、アクリル板１２の表面に固定されたフィルムを均等に電照する面光源が形成される。
【００２０】
フィルム固定部２０は、図２に示すように、支持バー２１、クリップ２２を有している。支持バー２１は、アクリル板１２の一辺に沿って延在するように固定されている。クリップ２２は、板バネ機能を有し、その弾性によってアクリル板１２に押圧することで、レントゲン用フィルム、一般写真フィルム等の各種フィルム（図１では、レントゲン用フィルム１８を例示）を引き抜き可能な状態で固定する。
【００２１】
図３乃至図６を用いて、支持バー２１、クリップ２２の構成をさらに詳しく説明する。図３は、図２の面ＡをＢ方向から見た図である。また、図４は、図３に示すフィルム固定部２０の拡大図である。図５は、クリップ２２を図４のＤ方向から見た図である。図６は、クリップ２２を図４（又は図５）のＢ方向から見た図である。
【００２２】
図３、図４に示すように、支持バー２１は、第１の支持部２１０、第２の支持部２１１、クリップ装着部２１２を有している。支持バー２１は、第１の支持部２１０と第２の支持部２１１とでアクリル板１２の一端を挟持することで、アクリル板１２に固定される。なお、図３、図４では、Ｃ方向に関して、第２の支持部２１１が第１の支持部２１０よりもｈだけ短くなっている支持バー２１を例示した。これは、例えば第２の支持部２１１の端部により、アクリル板１２を第１の支持部２１０の中間部分で固定することで、より強固な固定を実現するためである。しかしながら、これに拘泥されず、第１の支持部２１１の端部により、アクリル板１２を第２の支持部２１０の中間部分で固定するようにしてもよいし、第１の支持部２１０と第２の支持部２１１との狭持に加えて所定の接着材を併用するようにしてもよい。
【００２３】
クリップ装着部２１２は、Ｃ方向に関しクリップ２２のサイズに対応したサイズをもつ。このクリップ装着部２１２には、図２に示すように複数のクリップ２２をはめ込むことができる。
【００２４】
クリップ２２は、板バネ部２２０、固定ボタン部２２１から構成される。板バネ部２２０は、金属、樹脂等をその素材とする板バネの一端を第１の面側に折り曲げた第１の折り曲げ部２２０ａ、他端をＳ字状に折り曲げた第２の折り曲げ部２２０ｂ、第１の折り曲げ部２２０ａと第２の折り曲げ部２２０ｂとの間を第２の面側に凸形状となるようにへの字状に折り曲げた凸部２２０ｃ、固定ボタン部２２１の一端を支持するためのボタン支持部２２０ｄ、クリップ２２のボタンをはめるためのボタン穴を有している。クリップ２２は、弾性による凸部２２０ｃの伸縮を利用して、第１の折り曲げ部２２０ａと第２の折り曲げ部２２０ｂとをクリップ装着部２１２に引っかけることで、第１の折り曲げ部２２０ａ及び第２の折り曲げ部２２０ｂの形状を維持したまま支持バー２１に装着することができる。装着されたクリップ２２は、支持バー２１の長手方向に沿って移動（スライド）させることができると共に、第１の折り曲げ部２２０ａ及び第２の折り曲げ部２２０ｂの少なくとも一方を支持バー２１から外すことで、取り外すことも可能である。
【００２５】
固定ボタン部２２１は、フィルムを傷つけない程度の硬度とフィルムを固定するのに適した摩擦係数を有する材料（例えば、樹脂等）をその素材とし、第１の折り曲げ部２２０ａ上（板バネ部２２０の第２の面側。）に設けられる。また、固定ボタン部２２１は、第１の傾斜部２２１ａ、第２の傾斜部２２１ｂ、接触部２２１ｃ、ボタン部２２１ｄを有している。
【００２６】
第１の傾斜部２２１ａは、固定ボタン部２２１を支持バー２１に装着した場合（図４参照）に、フィルム１８が挿入しやすいような傾斜（例えば、第２の傾斜部２２１ｂに比してなだらかな傾斜）を有している。この第１位傾斜部２２１ａにより、フィルム固定部２０とアクリル板１２との間にフィルムを挿入する場合（又はこの間からフィルムを引き抜く場合）に、フィルムの移動がガイドされる。
【００２７】
接触部２２１ｃは、第１の傾斜部２２１ａと第２の傾斜部２２１ｂとの境界に位置し、フィルムと接触する部分である。この接触部２２１ｃは、フィルムを痛めないように丸みを帯びた形状となっている。
【００２８】
ボタン部２２１ｄは、固定ボタン部２２１を板バネ部２２０に固定するためのものである。すなわち、このボタン部２２１ｄを板バネ部２２０のボタン穴にはめ込み、さらに固定ボタン部２２１の一端をボタン支持部２２０ｄによって支持することで、固定ボタン部２２１は板バネ部２２０に固定される。なお、固定ボタン部２２１が板バネ部２２０に対して回転しないように、ボタン部２２１ｄ及び板バネ部２２０のボタン穴は、真円でなく楕円形や矩形等とすることが好ましい。
【００２９】
以上述べた本実施形態に係るシャウカステン１によれば、次のような作用・効果を実現することができる。
【００３０】
まず、フィルム１８は、クリップ２２の接触部２２１ｃとアクリル板１２との間にその一端を差し込むこと、クリップ２２の弾性によりアクリル板１２に押圧され固定される。このとき、第１の傾斜部２２１ａが好適な角度となっているので、挿入方向を気にせずとも固定ボタン部２２１とフィルムとを衝突させることなく良好に差し込むことができる。また、フィルム１８は、フィルムを例えば下方に所定の力を加えることで引き抜くことができる。このとき、第１の傾斜部２２１ａが好適な角度となっているので、厳密に下方に引き抜く必要はなく、板バネ部２２０の第１の折り曲げ部２２０ａによる押圧を解除する情報（例えば手前方向）に力を加えることでも、フィルムを引き抜くことが可能である。従って、ユーザは、フィルムの挿入又は引き抜き方向に左右されずに、良好なフィルム固定、フィルム引き抜きを実現することができる。
【００３１】
また、本シャウカステンでは、クリップ２２の個数や位置を任意に変更することができる。従って、例えば、比較的重量のあるフィルムを固定したい場合には、クリップ２２を増設したり、支持バー２１に装着されているいくつかの（或いは全ての）クリップ２２を移動させ使用する数を増加させることで、フィルムの固定強度を強めることができる。反対に、強固なフィルム固定が必要ない場合、少ない力でのフィルムを引き抜きを可能にしたい場合等には、いくつかのクリップ２２を取り外したり移動させることで、フィルムの固定強度を弱めることができる。また、本シャウカステン１では、第１の折り曲げ部２２０ａの折り曲げ角度を変えることによっても、フィルム固定強度を制御することができる。従って、ユーザは、フィルム固定強度を自在に制御することで、フィルムの種類に左右されずに、良好なフィルム固定、フィルム引き抜きを実現することができる。これらの作用・効果は、例えばフィルム表面の摩擦係数の低下した場合、長年の使用による板バネ部２２０の弾性劣化した場合等においても実益がある。
【００３２】
また、一般に、アクリル板は厳密には平らではない。従って、例えば従来の様に連続的な接触面によりステンレス製ピンでフィルムを固定した場合には、アクリル板の凹凸により場所によって固定強度にばらつきが発生する。しかしながら、本シャウカステン１では、複数のクリップ２２を用いて、フィルムを複数位置において点で固定するため、均一強度でフィルムを固定することができ、良好なフィルム固定、フィルム引き抜きを実現することができる。
【００３３】
本シャウカステン１では、丸みを帯びた形状を有する樹脂等の接触部により、フィルムを固定する。従って、フィルム表面を傷つけることがないため、フィルムの寿命を長くすることができる。
【００３４】
本シャウカステン１が具備するフィルム固定具２０は、支持バー２１、クリップ２２を増設するのみでよい。従って、既存の装置を利用して簡単且つ低コストで実現することも可能である。
【００３５】
なお、本発明は上記実施形態そのままに限定されるものではなく、実施段階ではその要旨を逸脱しない範囲で構成要素を変形して具体化できる。具体的な変形例としては、例えば次のようなものがある。
【００３６】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００３７】
以上本発明によれば、フィルムの厚さ等に左右されず、どの様なフィルムであっても固定可能であり、且つ容易に引き抜くことができるフィルム固定具及びこれを具備するシャウカステンを実現することができる。
【図面の簡単な説明】
【００３８】
【図１】図１は、本実施形態に係るシャウカステン１の外観図を示している。
【図２】図２は、カバー１４を取り外した状態のシャウカステン１の外観図を示している。
【図３】図３は、図２の面ＡをＢ方向から見た図である。
【図４】図４は、図３に示すフィルム固定部２０の拡大図である。
【図５】図５は、クリップ２２を図４のＤ方向から見た図である。
【図６】図６は、クリップ２２を図４（又は図５）のＢ方向から見た図である。
【図７】図７は、従来のシャウカステンのフィルム固定機構を説明するための図である。
【符号の説明】
【００３９】
１…シャウカステン、１０…筐体、１２…アクリル板、１４…カバー、１６…操作部、１７…脚部、１９…光源、１４…カバー、２０…フィルム固定部、２１…支持バー、２２…クリップ、２１０…第１の支持部、２１１…第２の支持部、２１２…クリップ装着部、２２０…板バネ部、２２１…固定ボタン部、２２０ａ…第１の折り曲げ部、２２０ｂ…第２の折り曲げ部、２２０ｃ…凸部、２２０ｄ…ボタン支持部２２０ｄ、２２１ａ…第１の傾斜部、２２１ｂ…第２の傾斜部、２２１ｃ…接触部、２２１ｄ…ボタン部
【図１】
2008040156.tif 000003
【図２】
2008040156.tif 000004
【図３】
2008040156.tif 000005
【図４】
2008040156.tif 000006
【図５】
2008040156.tif 000007
【図６】
2008040156.tif 000008
【図７】
2008040156.tif 000009